(57)【要約】【課題】錠前の使用寿命を延ばして環境汚染を防ぐ、ワイヤが交換可能な両用ロック構造を提供する。【解決手段】ワイヤが交換可能な両用ロック構造は、キーシリンダー１及びワイヤ２を備える。キーシリンダー１の両端には、第１タイプの錠前ヘッド部１１及び第２タイプの錠前ヘッド部１２がそれぞれ設けられる。ワイヤ２は、第１タイプの錠前ヘッド部１１と解錠・施錠が可能な第１タイプの連結金具２１を一端に有し、第２タイプの錠前ヘッド部１２と解錠・施錠が可能な第２タイプの連結金具２２を他端に有する。第１タイプの錠前ヘッド部１１及び第１タイプの連結金具２１は、暗証番号方式を採用している。第２タイプの錠前ヘッド部１２及び第２タイプの連結金具２２は、シリンダー方式を採用している。【選択図】図１
0003184419.tif 000002
【実用新案登録請求の範囲】
【請求項１】
キーシリンダー及びワイヤを備えたワイヤが交換可能な両用ロック構造であって、
前記キーシリンダーの両端には、第１タイプの錠前ヘッド部及び第２タイプの錠前ヘッド部がそれぞれ設けられ、
前記ワイヤは、前記第１タイプの錠前ヘッド部と解錠・施錠が可能な第１タイプの連結金具を一端に有し、前記第２タイプの錠前ヘッド部と解錠・施錠が可能な第２タイプの連結金具を他端に有することを特徴とする、
ワイヤが交換可能な両用ロック構造。
【請求項２】
前記第１タイプの錠前ヘッド部及び前記第１タイプの連結金具は、暗証番号方式を採用していることを特徴とする請求項１に記載のワイヤが交換可能な両用ロック構造。
【請求項３】
前記第２タイプの錠前ヘッド部及び前記第２タイプの連結金具は、シリンダー方式を採用していることを特徴とする請求項２に記載のワイヤが交換可能な両用ロック構造。
【考案の詳細な説明】
【技術分野】
【０００１】
本考案は、ワイヤが交換可能な両用ロック構造に関し、特に、状況に応じて錠前を選択して使用することが可能な両用ロック構造であり、錠前に２組の異なるタイプのロックを設けることにより、ユーザが必要に応じて選択して施錠・解錠することができるため、錠前の使用寿命を延ばして環境汚染を防ぐ、ワイヤが交換可能な両用ロック構造に関する。
【背景技術】
【０００２】
錠前は日常生活において盗難防止に用いる必需品であり、特に自動二輪車、自転車の盗難を防ぐためには、自動二輪車、自転車に盗難防止機能を付与する必要があり、自動二輪車、自転車に既に取り付けられている錠前以外に、別タイプの錠前を利用することが一般的である。
一般に、自動二輪車、自転車の錠前は、Ｕ字型錠及びワイヤ錠が代表的である。そのうちＵ字型錠は、Ｕ字状の掛け金と棒状部品との組み合わせで構成され、ローラとそれに対応した部材とを係合させることにより、ローラが回転することを防いで盗難防止効果を得る。
ワイヤ錠は、鍵ヘッド部の一端に結合されたワイヤ部を有し、ワイヤ部の一端が連結金具を有する。この連結金具は、鍵ヘッドの周縁に形成された孔に対応し、ローラとその他対応する部材とを嵌合させることにより、ローラが回転することを防ぐ。
【０００３】
錠前のロック方式は、シリンダー方式及び暗証番号方式（ダイヤル方式）に分けられ、そのうちシリンダー方式とは、シリンダーにキーを差し込むことで施錠・解錠を行う方式のことである。暗証番号方式とは、シリンダーの回転式リングを回し、所定の番号に合わせて解錠する方式のことである。
【０００４】
ワイヤ錠には、シリンダー方式が採用され、キーを利用して施錠又は解錠を行うが、もし施錠した後にキーを不用意に落として紛失した場合、ワイヤ錠を解錠することができなくなり、外力を加えて錠前を破壊しなければ解錠することができなくなる虞があった。
暗証番号方式を採用する場合、ユーザが暗証番号を不用意に忘れてしまったり一時的に思い出すことができなかったりした場合でもワイヤ錠を解錠することができなくなり、同様に解錠するためには外力を加えて錠前を破壊する必要があった。
【考案の概要】
【考案が解決しようとする課題】
【０００５】
本考案の目的は、２組の互いに異なるタイプの錠前からユーザが必要に応じて錠前タイプを選択して使用することができるため、錠前タイプが１種類だけだった従来技術が有する欠点を改善し、使用寿命を延ばして環境汚染を防ぐ、ワイヤが交換可能な両用ロック構造を提供することにある。
【課題を解決するための手段】
【０００６】
上記課題を解決するために、本考案の第１の形態によれば、キーシリンダー及びワイヤを備えたワイヤが交換可能な両用ロック構造であって、前記キーシリンダーの両端には、第１タイプの錠前ヘッド部及び第２タイプの錠前ヘッド部がそれぞれ設けられ、前記ワイヤは、前記第１タイプの錠前ヘッド部と解錠・施錠が可能な第１タイプの連結金具を一端に有し、前記第２タイプの錠前ヘッド部と解錠・施錠が可能な第２タイプの連結金具を他端に有することを特徴とするワイヤが交換可能な両用ロック構造が提供される。
【０００７】
また、前記第１タイプの錠前ヘッド部及び前記第１タイプの連結金具は、暗証番号方式を採用していることが好ましい。
【０００８】
また、前記第２タイプの錠前ヘッド部及び前記第２タイプの連結金具は、シリンダー方式を採用していることが好ましい。
【図面の簡単な説明】
【０００９】
【図１】本考案の一実施形態に係るワイヤが交換可能な両用ロック構造（太いワイヤ）を示す分解斜視図である。
【図２】本考案の一実施形態に係るワイヤが交換可能な両用ロック構造（細いワイヤ）を示す分解斜視図である。
【図３】本考案の一実施形態に係るワイヤが交換可能な両用ロック構造（長いワイヤ）を示す分解斜視図である。
【図４】本考案の一実施形態に係るワイヤが交換可能な両用ロック構造（短いワイヤ）を示す分解斜視図である。
【考案を実施するための形態】
【００１０】
以下、本考案の実施形態について図に基づいて説明する。なお、これによって本考案が限定されるものではない。
【００１１】
図１〜図４を参照する。図１〜図４は、本考案の一実施形態に係るワイヤが交換可能な両用ロック構造を示す分解斜視図である。図１〜図４に示すように、本考案の一実施形態に係るワイヤが交換可能な両用ロック構造は、少なくともキーシリンダー１及びワイヤ２から構成される。
【００１２】
キーシリンダー１の両端には、第１タイプの錠前ヘッド部１１及び第２タイプの錠前ヘッド部１２がそれぞれ設けられる。
【００１３】
ワイヤ２は、第１タイプの錠前ヘッド部１１と解錠・施錠が可能な第１タイプの連結金具２１を一端に有し、第２タイプの錠前ヘッド部１２と解錠・施錠が可能な第２タイプの連結金具２２を他端に有する。
【００１４】
図１〜図４に示すように、実際に使用する際、ワイヤ２は、ロックする物品の必要に応じて長めのワイヤ２、普通の長さのワイヤ２、直径が大きなワイヤ２又は普通の直径を有するワイヤ２と交換してもよい。
【００１５】
キーシリンダー１の両端に設けられた第１タイプの錠前ヘッド部１１及び第２タイプの錠前ヘッド部１２は、第１タイプの錠前ヘッド部１１が暗証番号方式を採用し、第２タイプの錠前ヘッド部１２がシリンダー方式を採用する。ワイヤ２は、一端に形成された第１タイプの連結金具２１が暗証番号方式を採用し、他端に形成された第２タイプの連結金具２２がシリンダー方式を採用する。
実際に使用する際、第１タイプの連結金具２１を第１タイプの錠前ヘッド部１１内へ嵌入した後、第１タイプの錠前ヘッド部１１のシリンダーを回して暗証番号と異なる番号にして施錠し、ロックする物にワイヤ２を通した後、第２タイプの錠前ヘッド部１２内へ第２タイプの連結金具２２を嵌入した後、キー３により第２タイプの錠前ヘッド部１２を回し、第２タイプの連結金具２２を第２タイプの錠前ヘッド部１２内へ固定する。勿論、第１タイプの暗証番号方式及び第２タイプのシリンダー方式の順序は上述した形態だけに限定されるわけではない。
【００１６】
解錠する際は、例えば、鍵を紛失したり持ってくることを忘れたりした場合に、暗証番号により解錠してもよいし、或いはユーザが暗証番号を忘れたり記憶し間違えたりしてしまった場合、キーを使用して解錠してもよく、状況に応じてユーザ自ら選択することができる。
【００１７】
上述したことから分かるように、本考案のワイヤが交換可能な両用ロック構造は、以下（１）〜（５）の長所を有する。
（１）ユーザは、必要に応じて２組の異なるタイプの錠前から選択し、解錠・施錠を行うことができる。
（２）暗証番号を忘れた場合でも、キーを使用して解錠することができるため、錠前を破壊せずに使用し続けることができる。
（３）解錠・施錠の際、暗証番号方式又はシリンダー方式を選択することができるため、一定時間が過ぎて故障又は損傷した場合でも、故障又は損傷していない方の方式が利用できるため、新たな錠前を購入する必要がない。
（４）暗証番号方式の場合、一定期間使用した場合、数字が記載された回転式リングが汚れたり摩耗したりして数字が読めなくなったり、故障して使用することができなくなったりした場合でも、キーを使用して解錠することができる。このため、錠前の使用寿命を延ばし新たな錠前を購入する必要がない。したがって、環境を汚染することがない。
（５）例えば、１台の車両で使用する場合、短めのワイヤに交換したり、複数台の車両で使用する場合、長めのワイヤに交換したりするなど、ワイヤを異なる直径、長さを有するワイヤと交換することができるため、１つの錠前で様々な使い方をすることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１    キーシリンダー
２    ワイヤ
３    キー
１１  第１タイプの錠前ヘッド部
１２  第２タイプの錠前ヘッド部
２１  第１タイプの連結金具
２２  第２タイプの連結金具
【図１】
0003184419.tif 000003
【図２】
0003184419.tif 000004
【図３】
0003184419.tif 000005
【図４】
0003184419.tif 000006